(57)【要約】【課題】印刷媒体の所定位置が変速領域に存在するとき、その変速領域に設定された低速な搬送速度で印刷媒体を適切に搬送制御する。【解決手段】用紙Ｐを紙送りする際、指令された所定量の紙送りをした場合、用紙Ｐの後端がBS駆動領域（低速領域）ABS内に位置することになると判断されると、BS駆動領域ABSの入口Ｐｂで一旦紙送りが終わり、その後、残りの紙送りがなされるように紙送り指令の紙送り量を分割する。この分割により一回目の紙送りは通常速度ＶNRで紙送りされ、二回目の紙送りは低速度ＶBSで紙送りされる。また、用紙Ｐの後端がBS駆動領域ABS内から出る紙送り指令のときは、BS駆動領域ABSの出口Ｐｃで一旦紙送りが終わり、その後、残りの紙送りがなされるように紙送り指令の紙送り量を分割する。この分割により一回目の紙送りは低速度ＶBSで紙送りされ、二回目の紙送りは通常速度ＶNRで紙送りされる。【選択図】図８
2007015865.tif 000002
【特許請求の範囲】
【請求項１】
印刷媒体に印刷を行う記録ヘッドと、
印刷媒体を記録ヘッドを挟んで上流から下流へ搬送する搬送手段と、
前記記録ヘッドと搬送手段とを制御する制御手段とを有する印刷媒体搬送制御装置において、
印刷媒体の所定位置が、設定された変速領域にあるうちは、該印刷媒体が第１速度で搬送されるようになっており、
前記制御手段は、所定量の印刷媒体搬送を実行した場合に、印刷媒体の所定位置が、前記変速領域の入口を越えるときには、印刷媒体の所定位置が、前記変速領域の入口又は入口近傍に設定されかつ印刷媒体搬送の分割点となる設定位置で一旦停止するように前記所定量を分割し、その分割された最初の印刷媒体搬送を前記第１速度より高速な第２速度で実行するとともに、該最初の印刷媒体搬送が終了して停止した後、残りの印刷媒体搬送であって前記変速領域における印刷媒体搬送を前記第１速度で実行する、ことを特徴とする印刷装置における印刷媒体搬送制御装置。
【請求項２】
記録ヘッドとキャリッジの駆動により印刷媒体に印刷を行う印刷手段と、
印刷媒体を記録ヘッドを挟んで上流から下流へ搬送する搬送手段と、
印刷媒体搬送と印刷実行を交互に行うよう前記印刷手段と搬送手段とを制御する制御手段とを有するシリアル式印刷装置において、
印刷媒体の所定位置が、予め設定された固定領域にあるうちは、第１速度で搬送されるようになっており、
前記制御手段は、前記所定位置が前記固定領域の上流にあるときに印刷のための所定量の印刷媒体搬送を実行する際、
前記所定位置が、前記固定領域の入口又は入口近傍に設定されかつ印刷媒体搬送の分割点となる設定位置で、一旦停止するように前記所定量を分割した複数回の印刷媒体搬送に分割し、その分割された最初の印刷媒体搬送を前記第１速度より高速な第２速度で実行するとともに、該最初の印刷媒体搬送が終了して停止した後、残りの印刷媒体搬送であって前記固定領域における印刷媒体搬送を前記第１速度で実行し、前記固定領域は、前記記録ヘッドより上流側に位置する搬送ローラを挟む範囲に設定されており、前記所定位置は印刷媒体の後端であることを特徴とするシリアル式印刷装置。
【発明の詳細な説明】
【技術分野】
【０００１】
本発明は、印刷中の印刷媒体(例えば用紙)を搬送(紙送り)する際に、その搬送途中に搬送速度を変更すべき領域が存在する場合、その領域に合わせた適切な搬送速度に制御する印刷装置における印刷媒体搬送制御装置及びシリアル式印刷装置に関するものである。
【背景技術】
【０００２】
一般にシリアルプリンタでは、図１０に示すように、紙送りローラ３０と排紙ローラ３１により搬送される用紙Ｐに対し、両ローラ３０，３１間に配置されたプラテン３２の上方を主走査方向に往復移動するキャリッジ３３の下端に備えられた記録ヘッド３４からインクが吐出されるなどの方法で印刷が施される。両ローラ３０、３１は駆動ローラ３０Ａ，３１Ａと従動ローラ３０Ｂ，３１Ｂからなる一対でそれぞれ構成され、両駆動ローラ３０Ａ，３１Ａが紙送りモータ（図示せず）の動力により回転駆動されることにより用紙Ｐは紙送り方向へ搬送される。そして、プリンタに内蔵された図示しないＡＳＩＣ（特定用途向けＩＣ）が印刷データに基づきキャリッジモータ、紙送りモータおよび記録ヘッド３４を駆動制御する。これにより、キャリッジ３３の主走査方向への移動時の記録ヘッド３４による印刷動作と、各ローラ３０，３１が駆動されることによる紙送り動作とが交互に行われ、用紙Ｐへの印刷は進められる。また、用紙Ｐの搬送経路上には紙検出センサ３５が紙送りローラ３０の上流側位置（図１０における右側位置）に設けられ、給紙された用紙Ｐの紙端がこのセンサ３５により検出されることで用紙Ｐの位置が把握され用紙Ｐの頭出しが行われる。
【０００３】
ところで、この種のシリアルプリンタでは図１０（ａ）に示すように、用紙Ｐの後端が紙送りローラ３０から離れる際、用紙Ｐの後端が回転する紙送りローラ３０に蹴飛ばされる（弾き出される）蹴飛ばし現象が起こっていた。特に近年、写真印刷などの高画質印刷に「縁なし印刷」が普及して用紙Ｐの後端位置まで印刷される場合も多く、この蹴飛ばし現象によって用紙Ｐの後端付近の位置精度が低下すると、用紙後端付近に印刷される印刷画質の低下にも繋がる。
【０００４】
この蹴飛ばし現象に起因する印刷画質の低下を防止するために、例えば図１０（ｂ）に示すように、用紙Ｐの後端が紙送りローラ３０を通る範囲（領域）に低速領域を設定し、この低速領域を用紙Ｐの後端が通過するときはその紙送り速度を通常速度より遅い低速度に変更する方法が考えられていた。すなわち、紙検出センサ３５により用紙Ｐの後端が検出されてから所定量紙送りされることで用紙Ｐの後端が低速領域に入ると、その低速領域を通過する間は低速の紙送りを行い、それにより用紙Ｐの後端の蹴飛ばし現象を防止していた（例えば、特許文献１参照。）。
【０００５】
また、低速領域を通るときの用紙Ｐの搬送速度を低速に落とす方法としては、用紙Ｐの搬送速度を速度制御により途中で低速に変速させる方法が考えられるが、変速させる方法は変速過程での用紙Ｐの位置管理が難しく、用紙Ｐの位置精度を確保することが比較的困難となる。そのため、例えば用紙Ｐを紙送りする目標位置（紙送り後の紙後端位置）が低速領域にあるとき、または、用紙の紙送り開始位置(現在位置（紙送り前の紙後端位置）)が低速領域にあるときは、その紙送りを低速で行う方法が考えられていた。
【特許文献１】特開２００２−０９６５１２号公報（第１０−１６頁、第１図）
【発明の開示】
【発明が解決しようとする課題】
【０００６】
ところで、近年のプリンタは、印刷速度の向上の面から多ノズル化の採用により記録ヘッド３４の全長（紙送り方向長さ）が長くなる傾向がある。よって、キャリッジ一回移動当たりの印刷幅（紙送り方向幅）が広くなるため、それに合わせて１回分の紙送り量も多くなる。このように１回分の紙送り量が多くなると、用紙Ｐの後端が低速領域を跨ぐような紙送りの指示がなされることも十分起こり得る。この場合は、低速領域を比較的速い通常速度で用紙Ｐの後端は通過し、紙送りローラ３０による用紙Ｐの後端の蹴飛ばしが起こってしまう。また、紙送りの目標位置が低速領域内にあるとＡＳＩＣが判断したときは、紙送り開始位置（現在位置）が低速領域からかなり手前の位置であっても、その現在位置から低速で紙送りを行うため効率が悪く、それにより印刷速度の遅延を招くことになる。
【０００７】
本発明は上記課題を解決するためになされたものであって、その目的は、印刷媒体の所定位置が変速領域に存在するとき、その変速領域に設定された低速な搬送速度で印刷媒体を適切に搬送制御できる印刷装置における印刷媒体搬送制御装置及びシリアル式印刷装置を提供することにある。
【課題を解決するための手段】
【０００８】
上記目的を達成するために本発明では、印刷媒体に印刷を行う記録ヘッドと、印刷媒体を記録ヘッドを挟んで上流から下流へ搬送する搬送手段と、前記記録ヘッドと搬送手段とを制御する制御手段とを有する印刷媒体搬送制御装置において、印刷媒体の所定位置が、設定された変速領域にあるうちは、該印刷媒体が第１速度で搬送されるようになっており、前記制御手段は、所定量の印刷媒体搬送を実行した場合に、印刷媒体の所定位置が、前記変速領域の入口を越えるときには、印刷媒体の所定位置が、前記変速領域の入口又は入口近傍に設定されかつ印刷媒体搬送の分割点となる設定位置で一旦停止するように前記所定量を分割し、その分割された最初の印刷媒体搬送を前記第１速度より高速な第２速度で実行するとともに、該最初の印刷媒体搬送が終了して停止した後、残りの印刷媒体搬送であって前記変速領域における印刷媒体搬送を前記第１速度で実行する、ことを要旨とする。なお、「設定された変速領域」は、制御手段が上記印刷媒体搬送の制御を行うときまでに設定されていれば足りるうえ、固定の変速領域（固定領域）である必要もない。例えば印刷媒体の種類（例えば紙種）や印刷モードの種類に応じた変速領域を設定したり、あるいは印刷媒体の1回の搬送毎に変速領域をその都度設定したりするなどの構成でも構わない。さらに、「設定位置」は、固定位置に限定されず可変位置であってもよい。これらの点は本発明にかかる以下に述べるその他の構成（他の請求項に係る構成）においても同様である。
【０００９】
この構成によれば、所定量の印刷媒体搬送を実行する際、その指示された印刷媒体搬送を実行した場合に、印刷媒体の所定位置が変速領域の入口を越えるときには、印刷媒体の所定位置が、変速領域の入口又は入口近傍に設定された印刷媒体搬送の分割点となる設定位置で一旦停止するように前記所定量が分割される。そして、その分割された最初の印刷媒体搬送が第２速度で実行される。そして、この最初の印刷媒体搬送が終了して停止した後、残りの印刷媒体搬送であって前記変速領域における印刷媒体搬送が第２速度より低速な第１速度で実行される。従って、印刷媒体の所定位置が変速領域を通るときはその殆ど全域で低速に搬送できるうえ、例えば変速領域の入口からかなり離れた手前から低速で搬送されて搬送所要時間が長くなる事態が発生しにくくなる。よって、印刷媒体の所定位置が変速領域に存在するとき、その変速領域に設定された低速な搬送速度（第１速度）で印刷媒体を適切に搬送制御できる。
【００１０】
また、本発明は、記録ヘッドとキャリッジの駆動により印刷媒体に印刷を行う印刷手段と、印刷媒体を記録ヘッドを挟んで上流から下流へ搬送する搬送手段と、印刷媒体搬送と印刷実行を交互に行うよう前記印刷手段と搬送手段とを制御する制御手段とを有するシリアル式印刷装置において、印刷媒体の所定位置が、予め設定された固定領域にあるうちは、第１速度で搬送されるようになっており、前記制御手段は、前記所定位置が前記固定領域の上流にあるときに印刷のための所定量の印刷媒体搬送を実行する際、前記所定位置が、前記固定領域の入口又は入口近傍に設定されかつ印刷媒体搬送の分割点となる設定位置で、一旦停止するように前記所定量を分割した複数回の印刷媒体搬送に分割し、その分割された最初の印刷媒体搬送を前記第１速度より高速な第２速度で実行するとともに、該最初の印刷媒体搬送が終了して停止した後、残りの印刷媒体搬送であって前記固定領域における印刷媒体搬送を前記第１速度で実行し、前記固定領域は、前記記録ヘッドより上流側に位置する搬送ローラを挟む範囲に設定されており、前記所定位置は印刷媒体の後端であることを要旨とする。
【００１１】
この構成によれば、固定領域は、記録ヘッドより上流側に位置する搬送ローラを挟む範囲に設定されている。印刷媒体の後端（所定位置）が、固定領域の上流にあるときに印刷のための所定量の印刷媒体搬送を実行する際、前記後端が、固定領域の入口又は入口近傍に設定されかつ印刷媒体搬送の分割点となる設定位置で一旦停止するように前記所定量を分割した複数回の印刷媒体搬送に分割される。その分割された最初の印刷媒体搬送が第１速度より高速な第２速度で実行されるとともに、該最初の印刷媒体搬送が終了して停止した後、残りの印刷媒体搬送であって前記固定領域における印刷媒体搬送が第１速度で実行される。よって、印刷媒体はその後端が搬送ローラを通過する際に低速な第１速度で搬送されるので、印刷媒体の後端を搬送ローラが蹴飛ばす現象を緩和又は防止することが可能となる。
【発明を実施するための最良の形態】
【００１２】
図１は、シリアルプリンタ１の電気的な構成図である。シリアルプリンタ１には、ＣＰＵ２、ＣＰＵ２にバス３を介して接続されたＲＯＭ４、ＲＡＭ５およびＡＳＩＣ（Application Specific ＩＣ（特定用途向けＩＣ））６が搭載されている。ＲＯＭ４にはＣＰＵ２により実行される制御プログラムが記憶されている。ＲＡＭ５は、ホストコンピュータ（ＰＣ）７からインタフェイス８を介して受信した印刷データやプリンタ内部で所定処理が施された印刷データが一時蓄積される受信バッファおよび印刷バッファとして機能し、またＣＰＵ２が実行する各種プログラムに用いられるデータ等が一時記憶されるメモリ領域も備える。もちろん、受信バッファ、印刷バッファおよびメモリ領域を別々のＲＡＭで構成してもよい。
【００１３】
ＡＳＩＣ６は、ＣＰＵ２からの制御信号およびホストコンピュータ７から受信した印刷データに基づき印刷制御を実行し、シリアルプリンタ１の印刷メカニカル機構を構成するアクチュエータ類を駆動制御する処理回路である。ＡＳＩＣ６は、ヘッド駆動回路９およびモータ駆動回路１０，１１を介して記録ヘッド１２、紙送りモータ１３およびキャリッジモータ１４等とそれぞれ電気的に接続されており、キャリッジ制御、ヘッド制御（インク吐出制御）および紙送り制御などの印刷制御を実行する。また、紙送りモータ１３の回転はエンコーダ１９により検出されるようになっており、エンコーダ１９により検出された検出パルスはＡＳＩＣ６に入力される。
【００１４】
図２はプリンタの紙送り機構部分を示す模式平面図、図３は紙送り機構部分を示す模式側面図である。図２，図３に示すように、キャリッジ２０は、主走査方向に延びるガイドロッド（図示省略）に案内されるとともにキャリッジモータ１４が正転・逆転駆動されることで正逆転するタイミングベルト（図示省略）に固定されており、キャリッジモータ１４の正転・逆転駆動によって主走査方向に往復移動する。記録ヘッド１２は、キャリッジ２０の下端に取り付けられキャリッジ２０と一体に主走査方向に往復移動可能となっている。
【００１５】
図１，図３に示すように、記録ヘッド１２を紙送り方向に挟むその上流側と下流側には紙送りローラ１５と排紙ローラ１６がそれぞれ配置されている。両ローラ１５，１６は、駆動ローラ１５Ａ，１６Ａと従動ローラ１５Ｂ，１６Ｂからなる一対でそれぞれ構成されている。紙送りモータ１３はギヤ列（図示省略）を介して各駆動ローラ１５Ａ，１６Ａと作動連結されており、紙送りモータ１３の駆動によって両ローラ１５，１６は同期回転するようになっている。また、両ローラ１５，１６間には記録ヘッド１２と対向する下側にプラテン１７が配置されており、用紙Ｐにはプラテン１７の上側に載る部分に印刷が施される。
【００１６】
紙検出センサ１８は、紙送りローラ１５のやや用紙搬送方向上流側に配置され、例えば接触式センサ（スイッチ式センサ）からなる。紙検出センサ１８は、例えば待機位置と用紙検知位置との間を揺動可能な検知レバーと、用紙検知位置にあるときの検知レバーを検知可能な光学センサ（投光器と受光器）とから構成される。検知レバーは搬送経路上の用紙Ｐと干渉可能に配置されており、紙検出センサ１８は、給紙された用紙Ｐの先端が検知レバーに当たってこれを変位させることでオンし、用紙Ｐの後端が検知レバーを通過してその検知レバーが元の待機位置に復帰することによりオフする。
【００１７】
図１に示すように、ＡＳＩＣ６は位置カウンタ２１を内蔵し、エンコーダ１９から入力される検出パルスのパルス数を位置カウンタ２１により計数する。この位置カウンタ２１は、紙検出センサ１８によって用紙先端が検知された後、所定カウント値を計数して用紙Ｐが頭出しされた時にリセットされる。従って、位置カウンタ２１は、用紙Ｐの頭出しされた位置を始点「０」とした紙送り量の累積値を計数する。ＡＳＩＣ６は、位置カウンタ２１の計数値に基づき用紙Ｐの現在位置を把握する。なお、位置カウンタ２１の計数値は用紙Ｐの先端位置を示すが、現在印刷中の用紙Ｐの「用紙長」についてはホストコンピュータ７から受信した印刷データに含まれる情報から既知であるため、位置カウンタ２１の計数値から用紙Ｐの後端位置を把握することができる。
【００１８】
そして、ＡＳＩＣ６は、印刷終了コマンドを受け付ければその時点で印刷制御から排紙制御に移行し、そうでないときは位置カウンタ２１の計数値に基づき用紙Ｐが最終印刷位置に到達したと判断するとその最終印刷位置の印刷を終えると印刷制御から排紙制御に移行する。
【００１９】
また、ＡＳＩＣ６は、印刷データに基づき紙種および印刷モードを把握するとともに、紙送りコマンドから印刷時の紙送り量を把握する。ここで、紙種には、光沢紙（写真用紙）、普通紙などがある。また、印刷モードには、写真印刷（高画質印刷）モード、通常印刷（普通画質印刷）モード、縁無し印刷モードなどがある。
【００２０】
通常速度で紙送りされると、紙送りローラ１５が用紙Ｐの後端を蹴飛ばす現象が発生する。高画質印刷時はこの蹴飛ばし現象が印刷画質の低下を招く。このため、本実施形態では、「写真印刷モード」かつ「光沢紙」が選択されている高画質印刷時は、紙送りローラ１５が用紙Ｐの後端を蹴飛ばす現象を防止するため、紙送りローラ１５を挟む範囲に用紙Ｐの搬送速度（紙送り速度）を通常速度より低速にする低速領域ABSを設定するようにしている。そして、用紙Ｐの後端が紙送りローラ１５を通過するときに紙送りローラ１５が低速度で回転することで、紙送りローラ１５による用紙Ｐの後端の蹴飛ばし現象が回避される。
【００２１】
ここで、通常速度とは予め印刷モード毎に設定された印刷速度（mm/s）で、ＰＩＤ制御で速度制御される。すなわち、ＡＳＩＣ６はエンコーダ１９からの検出パルスに基づき用紙Ｐの実搬送速度を検出し、その実搬送速度を予め設定された通常速度用の目標速度パターンに沿った目標速度に一致させるように、紙送りモータ１３をＰＩＤ制御（フィードバック制御）する。また、ＡＳＩＣ６には、低速度用の目標速度パターンも予め設定されており、用紙Ｐの低速搬送条件成立時は、検出された実搬送速度を低速用の目標速度パターンに沿った目標速度に一致させるように、紙送りモータ１３をフィードバック制御する。いずれの目標速度パターンも、搬送距離（搬送パルス数）に対する搬送速度（モータ駆動速度）のパターンが台形のラインを描き、一定加速度で立ち上がる加速領域と定速領域と一定減速度で立ち下がる減速領域とを有する。なお、本実施形態では、紙送りモータ１３の通常速度の駆動を「PS駆動」、低速度の駆動を「B S駆動」と呼ぶものとする。
【００２２】
図４は、用紙搬送制御上において設定された各種設定領域を説明するものである。用紙Ｐの後端がこれら各種領域のうちどの領域に属するかによって用紙搬送制御上のシーケンスが進められる。同図に示すように、低速領域（以下、BS駆動領域という）ABSは、紙送りローラ１５を中央に挟む所定の範囲に設定されている。このBS駆動領域ABSは蹴飛ばし現象を回避できる限りにおいてなるべく狭い方がよい。BS駆動領域ABSはその入口Ｐbとその出口Ｐｃの間の領域として特定される。BS駆動領域ABSの上流側と下流側（同図では左方が上流）には、入口Ｐｂより少し上流側位置に閾値Ｐaが設定され、出口Ｐｃより少し下流側位置に閾値Ｐｄが設定されている。閾値Ｐaと入口Ｐbの間にはBS駆動拡張領域Ａが設定され、出口Ｐｃと閾値Ｐｄの間にはBS駆動拡張領域Ｂが設定されている。駆動拡張領域ＡはA パルス分の長さで、BS駆動拡張領域ＢはBパルス分の長さに設定されている。両領域幅のパルス長A，Bの設定理由については後述する。
【００２３】
また、給紙元（図４における左側）から紙検出センサ（PE検出器）１８の検出位置PEまでは「通常紙送り領域」となっており、この位置PEから前記閾値Ｐaまでは「BS駆動準備領域」となっている。また、用紙Ｐの後端が紙検出センサ１８を過ぎた後、用紙Ｐが印刷領域の最終印刷位置に搬送されるまでの範囲がオーバライド領域となっており、閾値Ｐｄからオーバライド領域の出口までの範囲が通常紙送り領域に設定されている。この通常紙送り領域を用紙Ｐの後端が越えると排紙処理に移行する。
【００２４】
本実施形態では、用紙Ｐの後端が「BS駆動領域（低速領域）」内を搬送されるときは適正にその領域に見合った低速度で用紙Ｐが搬送されるように、「BS駆動領域（低速領域）」の境界部である入口Ｐｂと出口Ｐｃで一旦停止し搬送速度が変速されるようにしている。すなわち、入口Ｐｂと出口Ｐｃのうち少なくとも一方を跨ぐ紙送りが指令された際は、入口Ｐｂと出口Ｐｃのうちその跨ぐ位置で紙送りを一旦停止させるように紙送りを分割するとともに、その分割した各紙送り毎の搬送速度（紙送り速度）をその搬送される領域に応じて変速させる。但し、紙送りによっては、制御の精度上、入口Ｐｂで正しく停止できない不都合や、出口Ｐｃで停止させると次の目標位置に位置精度よく停止させられない不都合があるため、これらの不都合を解消するために紙送り分割しない例外としてBS駆動拡張領域Ａ，Ｂを設けている。つまり、入口Ｐｂの極手前からの開始位置であるとPS駆動の最小移動距離を進めただけで入口Ｐｂを越えてしまう場合があり、また出口Ｐｃで一旦停止させてしまうと、出口ＰｃからPS駆動の最小移動距離を進めただけで目標位置を越えてしまう場合がある。そこで、前者の対策のため、PS駆動の最小移動距離に等しい長さA pulseのBS駆動拡張領域Ａを設定し、用紙Ｐの後端の紙送りの開始位置（現在位置）がこのBS駆動拡張領域Ａ内に位置する状態から紙送りを開始するときは直接BS駆動させて用紙Ｐの後端が入口Ｐｂを跨ぐように用紙Ｐを低速度で搬送する。一方、後者の対策のため、PS駆動の最小移動距離に等しい長さB pulseのBS駆動拡張領域Ｂを設定している。そして、このBS駆動拡張領域Ｂ内に用紙Ｐの後端の搬送先である目標位置P2が位置することになるときは出口Ｐｃで紙送りを停止させることなく用紙Ｐの後端が出口Ｐｃを跨いで直接目標位置に至るように用紙ＰをBS駆動で低速搬送する。
【００２５】
なお、その他の不都合として、入口Ｐｂで一旦停止させてしまうと、入口ＰｂからBS駆動の最小移動距離を進めただけで目標位置を越えてしまう場合があり、また出口Ｐｃの極手前からBS駆動でその最小移動距離を進めただけで出口Ｐｃを越えてしまう場合がある。前者の対策としては、BS駆動領域ABSにおける入口Ｐｂの内側にBS駆動の最小移動距離に等しい長さのBS駆動管理領域を設定し、このBS駆動管理拡張領域に目標位置があるときはまず閾値Ｐａで紙送りを分割する。
【００２６】
そして一旦停止した閾値Ｐａから入口Ｐｂで紙送りを停止させることなく２回目の紙送りを用紙Ｐの後端が入口Ｐｂを跨いで直接目標位置に至るようにBS駆動で行う。一方、後者の対策としては、BS駆動領域ABSにおける出口Ｐｃの内側にBS駆動の最小移動距離に等しい長さのBS駆動管理領域を設定し、このBS駆動管理領域から紙送りを開始するときは直接BS駆動させて用紙Ｐをその後端が入口Ｐｂを跨いで閾値Ｐｄに至るまで低速度で搬送する。そして閾値Ｐｄで一旦停止させた後、次の２回目の紙送りで用紙ＰをPS駆動で目標位置まで搬送する。もちろん、用紙Ｐを目標位置に位置精度よく停止させる対策のためのBS駆動拡張領域、BS駆動管理領域のみを採用することもできる。
【００２７】
図８，図９は紙送り分割処理の動作を説明する説明図である。ここで、図８は、(1)閾値Ｐａより上流側の現在位置（開始位置）P1からBS駆動領域ABS内の目標位置P2まで紙送りする紙送り指令があった場合と、(2)BS駆動領域ABS内の現在位置P1から通常紙送り領域内の目標位置P2まで紙送りする紙送り指令があった場合との２種類の動作を説明する。また、図９は、(3)閾値Ｐａより上流側の現在位置からBS駆動領域ABSを跨いで通常紙送り領域内の目標位置まで紙送りする紙送り指令があった場合の動作を説明する。なお、指令のあった紙送りの開始位置を「P1」、目標位置を「P2」とする。
【００２８】
図８に示すように、まず用紙Ｐの後端が入口Ｐｂを跨いでBS駆動領域ABS内の目標位置に達するまで紙送りする上記(1)の紙送り指令があった場合は、次のような紙送り分割処理が行われる。その指令のあった１回分の紙送り量を、用紙Ｐの後端が入口Ｐｂで一旦停止するよう２分割し、用紙Ｐの後端が開始位置P1から入口Ｐｂまで移動する１回目の紙送りと、入口Pbから目標位置P2まで移動する２回目の紙送りとに分割する。このため、BS駆動領域ABSの入口Ｐｂまでの紙送りはPS駆動による通常速度ＶNRで行われ、その入口Ｐｂから目標位置までの紙送りはBS駆動により低速度ＶBSで行われる。
【００２９】
そして、用紙Ｐの後端が出口Ｐｃを跨いでBS駆動領域ABS内の現在位置から下流側の通常送り領域内の目標位置に達するまで紙送りする上記(2)の紙送り指令があった場合は、次のような紙送り分割処理が行われる。その指令のあった１回分の紙送り量を、用紙Ｐの後端が出口Ｐｃで一旦停止するよう２分割し、用紙Ｐの後端が開始位置P1から出口Ｐｃまで移動する１回目の紙送りと、出口Ｐｃから目標位置P2まで移動する２回目の紙送りとに分割する。このため、BS駆動領域ABSの出口Ｐｃまでの紙送りはBS駆動による低速度ＶBSで行われ、その出口Ｐｃから目標位置までの紙送りはPS駆動により通常速度ＶNRで行われる。
【００３０】
また、図９に示すように、BS駆動領域ABSを跨ぐ紙送りを指示する上記(3)の紙送り指令があった場合は、次のような紙送り分割処理が行われる。すなわち、同図に示すように、用紙Ｐの後端を開始位置P1から目標位置P2まで移動させる1回の紙送りを、用紙Ｐの後端を入口Ｐｂと出口Ｐｃで一旦停止するように３分割し、その１回分の紙送り量を各停止位置に合わせて３分割する。そして、この１回の紙送りを、用紙Ｐの後端が開始位置P1から入口Ｐｂまで移動する１回目の紙送りと、入口Ｐｂから出口Ｐｃまで移動する２回目の紙送りと、出口Ｐｃから目標位置P2まで移動する３回目の紙送りとに分割する。そして、１回目の紙送りでは用紙Ｐの後端が入口Ｐｂに達するまで通常速度ＶNRで送られ、２回目の紙送りでは入口Ｐｂから出口ＰｃまでのBS駆動領域をBS駆動で低速度ＶBSで送られ、３回目の紙送りでは出口Ｐｃから目標位置P2まで通常速度ＶNRで送られる。
【００３１】
以上の紙送り分割処理における分割ルールをまとめると、指令された紙送りを分割するか否かは、用紙後端の開始位置（現在位置）P1と目標位置P2とによって以下のように決まる。但し、P1＜P2である。
(A)入口Ｐｂで２分割：
開始位置P1＜Ｐａ、且つ、Ｐｂ＜目標位置P2≦Ｐｄが成立したとき。
(B)出口Ｐｃで２分割：
Ｐａ≦開始位置P1、且つ、Ｐｄ＜目標位置P2が成立したとき。
(C)入口Ｐｂと出口Ｐｃで３分割：
開始位置P1＜位置Ｐａ、且つ、目標位置P2＞Ｐｄが成立したとき。
(D)分割なしで低速搬送（BS駆動）：
Ｐａ≦開始位置P1、且つ、目標位置P2≦Ｐｄ
ＡＳＩＣ６は、メモリに紙送り分割処理のためのプログラムを記憶しており、このプログラムを実行することにより紙送り分割処理を行う。図５〜図７に示すフローチャートがこのプログラムを示すものである。以下、図５〜図７に示すフローチャートに従って紙送り分割処理について説明する。なお、このプログラムは、紙送りコマンドを受け付けて次の紙送りを行う前に実行され、この実行に先立ち予め次の紙送り量は取得されている。
【００３２】
ステップ（以下、単に「Ｓ」と記す）１０では、紙種、印刷モードを判別して紙送り分割処理の該当条件を満たすか否かを判断する。すなわち、本実施形態では、例えば「写真印刷（高画質印刷）モード」で「光沢紙」を用いて印刷するときが条件に該当し、紙送り分割処理の対象とされる。この条件に該当するときはＳ２０に進み、この条件に該当しないときはＳ９０に進む。Ｓ９０に移行した場合は、PS駆動モードで通常速度の紙送りが実行される。
【００３３】
Ｓ２０では、用紙後端が紙検出センサ（ＰＥ）１８により検出されたか否かを判断する。用紙後端が検出されないうちはＳ９０に進んで通常速度の紙送りが行われ、用紙後端が既に検出されていればＳ３０に進む。
【００３４】
Ｓ３０では、位置カウンタ２１により計数された計数値から用紙後端位置を取得する。
次のＳ４０では、紙後端の現在位置P 1と次の紙送り後の目標位置P2が、P2＞ＰｂとP1＜Ｐｃを満たすか否かを判断する。この条件を満たさなければ、すなわち目標位置P2が入口Ｐｂと一致または手前であったり（P2≦Ｐｂ）、用紙後端が既に出口Ｐｃを通過している（P1≧Ｐｃ）場合はＳ９０に進み、一方、この条件を満たす場合はＳ５０に進む。
【００３５】
Ｓ５０では、紙後端の現在位置P1がP1＜Ｐａを満たすか否かを判断する。P1＜Ｐａが成立すればＳ６０に進み、P 1＜Ｐａが不成立であればＳ１００（図６）に進む。
Ｓ６０では、用紙後端の次の紙送り後の目標位置Ｐ２が、BS駆動領域内またはBS駆動拡張領域Ｂ（B Pulse）内にあるか否かを判断する。この条件が成立すればＳ７０に進み、この条件が不成立であればＳ１６０(図７)に進む。
【００３６】
Ｓ７０では、用紙後端が入口Ｐｂに達するまでPS駆動モードで紙送りする。
次のＳ８０では、用紙後端が目標位置Ｐ２に達するまでBS駆動モードで紙送りする。
一方、Ｓ１００（図６）においては、用紙後端の次の紙送り後の目標位置Ｐ２が、BS駆動領域内またはBS駆動拡張領域Ｂ（B Pulse）内にあるか否かを判断する。この条件が成立すればＳ１１０に進み、BS駆動モードで停止位置まで紙送りをする。一方、この条件が不成立であればＳ１２０に進む。
【００３７】
Ｓ１２０では、次の紙送り量Ｆが最大送り量Ｂmaxより大きい（Ｆ＞Ｂmax）か否かを判断する。ここで、最大送り量Ｂmax（Band max）とは、用紙Ｐが最終印刷位置まで搬送されるときの紙送り量である。この値Ｂmax以下の範囲の紙送りであれば次に印刷もくるが、この値Ｂmaxを超える送り量の紙送りであると、印刷位置（ヘッド位置）が用紙上の空白または改行の位置にくるか、印刷領域を通過して排紙処理への移行位置にくることになるので、次に印刷がくることがない。よって、次の紙送り量Ｆが最大送り量Ｂmaxより大きい（Ｆ＞Ｂmax）ときは、紙送りしても空白、改行、排紙処理移行のいずれかの位置にきて次に印刷がくることがないので、用紙Ｐを低速搬送する必要がない。従って、この条件（Ｆ＞Ｂmax）が成立すればＳ１３０に進み、次の紙送り後の目標位置Ｐ２までPS駆動モードの紙送りをする。一方、この条件（Ｆ＞Ｂmax）が不成立のときはＳ１４０に進む。
【００３８】
Ｓ１４０では、BS駆動領域をBS駆動モードで紙送りする。そして次のＳ１５０では、目標位置Ｐ２までP S駆動モードで紙送りする。
一方、Ｓ１６０（図７）では、次の紙送り量ＦがＢmaxより大きい（Ｆ＞Ｂmax）か否かを判断する。この条件が成立すればＳ１７０に進み、目標位置Ｐ２までPS駆動モードの紙送りをする。一方、この条件が不成立のときはＳ１８０に進む。
【００３９】
Ｓ１８０では、用紙後端が入口Ｐｂに達するまでPS駆動モードで紙送りする。
次のＳ１９０では、BS駆動領域をBS駆動で紙送りする。さらにＳ２００では、目標位置Ｐ２までPS駆動モードで紙送りする。
【００４０】
こうして図８，図９に示すような分割紙送り処理が行われる。よって、光沢紙を用いて写真印刷（高画質印刷）モードで印刷するときは、用紙Ｐの後端が紙送りローラ１５を通過するときに紙送りローラ１５がBS駆動で低速回転するので、用紙Ｐの後端が紙送りローラ１５から離間する際に、蹴飛ばし現象が発生しにくくなる。この結果、用紙Ｐの後端付近における印刷画質の精度が高くなる。
【００４１】
以上詳述したように本実施形態によれば、以下に示す効果が得られる。
（１）用紙Ｐを紙送りする過程で用紙Ｐの後端が低速領域（BS駆動領域）ABSを跨ぐ紙送り指令があった場合は、紙送り量を３分割する。そして、低速領域ABSの入口Ｐｂまで通常速度ＶNRで紙送りして一旦停止し、次に低速領域ABSを低速度ＶBSで紙送りして一旦停止し、さらに低速領域ABSの出口Ｐｃから目標位置P2まで通常速度ＶNRで紙送りされる。従って、低速度ＶBSで紙送りされる距離を必要最小限に留めることができる。この結果、高画質印刷時におけるスループットを向上させることができる。また、従来技術で述べた搬送方法のように、低速領域を跨ぐ紙送りのときに通常速度で紙送りされる不都合も回避できる。従って、このような低速領域を跨ぐ紙送りの際も、用紙Ｐの後端付近における印刷画質の精度を高めることができる。
【００４２】
（２）用紙Ｐを紙送りする過程で低速領域（BS駆動領域）ABS内に入るか、低速領域（BS駆動領域）ABS内から外へ出るかの紙送り指令があった場合は、紙送り量を２分割する。そして、前者の場合は、低速領域の入口Ｐｂまで通常速度で紙送りして一旦停止した後、次に低速領域内の目標位置P2まで低速度で紙送りする。また、後者の場合は、低速領域ABSの出口Ｐｃまで低速度で紙送りして一旦停止した後、次に目標位置P2まで通常速度ＶNRで紙送りする。従って、このような場合も、低速度ＶBSで紙送りされる距離を必要最小限に留めることができ、例えば高画質印刷時におけるスループットを向上させることができる。
【００４３】
（３）紙送りを途中で一旦停止させることなく低速領域ABSの境界部で変速させるだけの構成（以下、変速制御構成という）では、変速過程における用紙Ｐの位置管理が比較的難しい。これに対し本実施形態では、１回分の紙送りを複数の紙送りに分割し、前記変速制御構成に比べ単純な各紙送りを分割の数だけ繰り返す構成なので用紙Ｐを位置管理し易い。従って、低速領域ABSの境界部で紙送りを変速させても、用紙Ｐを目標位置に正しく停止させ易くなる。さらに前記変速制御構成では、変速用の速度パターンデータ等のデータを追加する必要があるが、本実施形態の構成では、これまでの通常用と低速用の速度パターンデータを流用でき、データの新規追加が不要であるとともに、分割した個々の紙送りの制御もこれまでと同じで済む。
【００４４】
（４）PS駆動の最小移動距離に等しい長さA pulseのBS駆動拡張領域Ａを設定し、用紙Ｐの後端の紙送り開始時の位置である開始位置P1がこのBS駆動拡張領域Ａ内に位置する状態から紙送りを開始するときは直接BS駆動させて用紙Ｐの後端が入口Ｐｂを跨ぐように用紙Ｐを低速搬送する。従って、用紙Ｐの後端を入口Ｐｂで一旦停止させようとしたがため、用紙Ｐの後端が低速領域ABSの入口Ｐｂで停止できずこれを超える位置まで通常速度ＶNRで搬送されてしまう不都合が回避される。よって、低速領域ABSでは従来技術に比べより確実に低速搬送を実現できる。
【００４５】
（５）PS駆動の最小移動距離に等しい長さB pulseのBS駆動拡張領域Ｂを設定し、このBS駆動拡張領域Ｂ内に用紙Ｐの後端の搬送先である目標位置P2が位置するときは出口Ｐｃで紙送りを停止させることなく用紙Ｐの後端が出口Ｐｃを跨いで直接目標位置に至るよう用紙ＰをBS駆動で低速搬送する。従って、用紙Ｐの後端を出口Ｐｃで一旦停止させたがため、用紙Ｐの後端を目標位置P2に停止させることができなくなる不都合が回避される。よって、用紙Ｐの後端が目標位置P2に位置精度よく停止するので、高い印刷画質精度を保証できる。
【００４６】
なお、実施の形態は、上記に限定されず次のような態様でも実施できる。
（変形例１）前記実施形態では、通常速度領域と低速領域とを設け、用紙後端が低速領域を通る際に低速度で紙送りされるようにした。これに対し、通常速度と高速領域とを設け、例えば用紙の所定位置が高速領域を通るときに通常速度より高速で紙送りする制御において適用することもできる。要するに、変速速度は、通常速度に対し低速でも高速でもどちらでよい。また、用紙の所定位置も用紙後端に限定されない。
【００４７】
（変形例２）図８の紙送り分割制御と、図９の紙送り分割制御のいずれか一方のみを採用するだけの制御方法でも構わない。
（変形例３）前記実施形態では、紙送りの分割点となる設定位置を変速領域（（低速領域）（BS駆動領域））の入口と出口に設定したが、これに限定されるものではない。低速領域の入口手前のBS駆動拡張領域（A Pulse）で紙送りが一旦終わるように、設定位置をBS駆動拡張領域（A Pulse）に設定してもよいし、設定位置を低速領域の入口より少し領域内に入った位置に設定しても構わない。また、低速領域の出口より少し下流側位置のBS駆動拡張領域（B Pulse）で紙送りが一旦終わるように、設定位置をBS駆動拡張領域（B Pulse）に設定してもよいし、設定位置を低速領域の出口より少し領域内に入った位置に設定しても構わない。要するに、紙送り量を分割する設定位置は、変速領域（低速領域）の入口近傍の所定位置や出口近傍の所定位置であれば足りる。なお、分割点となる設定位置は、請求項１では変速領域の境界部に該当する。
【００４８】
（変形例４）前記実施形態では、エンコーダの検出パルスを計数して用紙Ｐの位置を把握したが、エンコーダが無い構成において、紙送りモータを駆動させるための指令パルスを計数することにより用紙Ｐの位置を把握する構成を採用することもできる。
【００４９】
（変形例５）前記実施形態では、用紙の印刷のための搬送エリア内に変速領域を設定し、用紙Ｐの所定位置（後端）が変速領域（低速領域（BS駆動領域））を通る間だけ搬送速度を変速速度（低速度）に変更する構成とした。これに対し、用紙がはじめは低速度（通常速度）で搬送され、設定された変速領域を通る間だけ搬送速度を通常の高速度（変速速度）に戻す搬送制御を採用することもできる。また、用紙が給紙のはじめから変速領域を通るように変速領域が位置設定され、はじめに低速度（変速速度）で搬送された用紙Ｐが変速領域から出ると通常の高速度（通常速度）に戻る構成としてもよい。
【００５０】
（変形例６）変速領域（BS駆動領域）は、予め設定された固定領域であることに限定されない。ＡＳＩＣ６が判断処理を行うときまでに変速領域は設定されていれば足り、例えば紙種や印刷モードの種類に応じた所定時期、あるいは1回の紙送りの度にその都度、変速領域が設定されても構わない。
【００５１】
（変形例７）前記実施形態では、紙送りの分割点とする設定位置を、変速領域（BS駆動領域）の入口Pbおよび出口Pcに設定したが、変速領域の入口位置とは異なる入口近傍位置や、変速領域の出口位置とは異なる出口近傍位置を設定位置に設定することができる。つまり、搬送した場合に、印刷媒体の所定位置が超えるか否かを判断する判断の基準とする基準位置と、印刷媒体搬送（紙送り）を分割する分割点（分割位置）（一旦停止させる停止位置）とが異なる位置であっても構わない。さらに、設定位置は、予め決められた固定位置であることに限らず、可変位置であってもよい。
【００５２】
（変形例８）用紙の種類と印刷モードとに基づいて紙送り分割処理を採用するか否かを判断する構成としたが、いずれか一方のみに基づいて紙送り分割処理を採用するか否かを判断する構成とすることもできる。その他、紙送り分割処理を採用するか否かを判断する判断内容は適宜設定することができる。
【００５３】
（変形例９）印刷装置は用紙に印刷するものに限定されない。印刷媒体は例えばフィルム状又はシート状の基板であってもよい。例えば液晶ディスプレイ、ＦＥＤ（面発光ディスプレイ）、等の電極形成に用いられる電極材（導電ペースト）噴射ヘッド、バイオchip製造に用いられる生体有機物噴射ヘッド、精密ピペットとしての試料噴射ヘッド等を備えた産業用途の印刷装置（液体噴射装置）に適用することもできる。
【００５４】
前記実施形態及び別例から把握される技術的思想を、以下に記載する。
（１）前記制御手段は、所定量の印刷媒体搬送を実行する際、その指示された印刷媒体搬送を実行した場合に、印刷媒体の所定位置が前記変速領域を跨ぐときには、印刷媒体の所定位置が該変速領域の入口又は入口近傍に設定された前記設定位置と該変速領域の出口又は出口近傍に設定され印刷媒体搬送の別の分割点となる設定位置で一旦停止するように前記所定量を３分割して３回の印刷媒体搬送に分割し、その分割された１回目と３回目の印刷媒体搬送を前記第２速度で実行し、２回目の印刷媒体搬送を前記第１速度で実行することを特徴とする請求項１に記載の印刷装置における印刷媒体搬送制御装置。この構成によれば、所定量の印刷媒体搬送を実行する際、その指示された印刷媒体搬送を実行した場合に、印刷媒体の所定位置が前記変速領域を跨ぐときには、当該印刷媒体搬送が３回の印刷媒体搬送に分割される。すなわち、印刷媒体の所定位置が該変速領域の入口又は入口近傍に設定された設定位置と、該変速領域の出口又は出口近傍に設定され印刷媒体搬送の別の分割点となる設定位置で一旦停止するように前記所定量が３分割されて３回の印刷媒体搬送に分割される。その分割された１回目の印刷媒体搬送は第２速度で実行され、１回目が終了して停止した後、２回目の印刷媒体搬送が第２速度より低速な第１速度で実行され、さらに２回目が終了して停止した後、３回目の印刷媒体搬送が第２速度で実行される。よって、印刷媒体の所定位置が変速領域を通るときは、その殆ど全域で印刷媒体は低速な第１速度で搬送される。また、変速領域の上流側と下流側では高速な第２速度で搬送されるので、変速領域で低速で搬送する割に、搬送所要時間がさほど長くならない。
【００５５】
（２）前記制御手段は、所定量の印刷媒体搬送を実行する際、その指示された印刷媒体搬送を実行した場合に、印刷媒体の所定位置が前記変速領域内に位置することになるときには、印刷媒体の所定位置が前記変速領域の入口又は入口近傍に設定された前記設定位置で一旦停止するように前記所定量を２分割して２回の印刷媒体搬送に分割し、その分割された最初の印刷媒体搬送を前記第２速度で実行するとともに、残りの印刷媒体搬送を前記第１速度で実行することを特徴とする請求項１に記載の刷装置における印刷媒体搬送制御装置。この構成によれば、所定量の印刷媒体搬送を実行する際、その指示された印刷媒体搬送を実行した場合に、印刷媒体の所定位置が予め設定された変速領域内に位置することになるときには、印刷媒体の所定位置が変速領域の入口又は入口近傍に設定された設定位置で一旦停止するように所定量が２分割されて２回の印刷媒体搬送に分割される。その分割された最初の印刷媒体搬送が第２速度で実行され、最初の印刷媒体搬送が終了して停止した後、残りの印刷媒体搬送が第２速度より低速な第１速度で実行される。
（３）印刷媒体に印刷を行う記録ヘッドと、印刷媒体を記録ヘッドを挟んで上流から下流へ搬送する搬送手段と、前記記録ヘッドと搬送手段とを制御する制御手段とを有する印刷媒体搬送制御装置において、印刷媒体の所定位置が、設定された変速領域にあるうちは、該印刷媒体が第１速度で搬送されるようになっており、前記制御手段は、印刷媒体の所定位置が前記変速領域内にある搬送開始位置から、所定量の印刷媒体搬送を実行した場合に、印刷媒体の所定位置が前記変速領域の出口を越えるときには、印刷媒体の所定位置が前記変速領域の出口又は出口近傍に設定され印刷媒体搬送の分割点となる設定位置で一旦停止するように前記所定量を２分割して２回の印刷媒体搬送に分割し、その分割された最初の印刷媒体搬送を前記第１速度で実行するとともに、該最初の印刷媒体搬送を終了して停止した後、残りの印刷媒体搬送を前記第１速度より高速な第２速度で実行することを特徴とする印刷装置における印刷媒体搬送制御装置。
【００５６】
この構成によれば、印刷媒体の所定位置が変速領域内にある搬送開始位置から、所定量の印刷媒体搬送を実行する際、その指示された印刷媒体搬送を実行した場合に、印刷媒体の所定位置が変速領域の出口を越えるときには、印刷媒体の所定位置が変速領域の出口又は出口近傍に設定され印刷媒体搬送の分割点となる設定位置で一旦停止するように所定量を２分割して２回の印刷媒体搬送に分割される。そして、その分割された最初の印刷媒体搬送が第１速度で実行され、最初の印刷媒体搬送が終了して停止した後、残りの印刷媒体搬送が第１速度より高速な第２速度で実行される。よって、印刷媒体の所定位置が変速領域内に位置する搬送開始位置から搬送を開始しても、変速領域にあるうちは出口又は出口近傍の設定位置まで低速な第１速度で搬送でき、その設定位置からの残りの印刷媒体搬送で第２速度に切り替わる。例えば変速領域から外へかなり出る目標位置まで搬送される際、第１速度のまま目標位置まで搬送される不都合が回避され易くなる。すなわち、出口又は出口近傍の設定位置を過ぎれば、第２速度での高速な印刷媒体搬送に切り替わるので、搬送所要時間がさほど長くならない。
【００５７】
（４）前記印刷装置は、記録ヘッドとキャリッジの駆動により印刷媒体に印刷を行う印刷手段と、印刷媒体を記録ヘッドを挟んで上流から下流へ搬送する前記搬送手段と、印刷媒体搬送と印刷実行を交互に行うよう前記印刷手段と搬送手段とを制御する制御手段とを有するシリアル式印刷装置であることを特徴とする請求項１、２、前記技術的思想（１）〜（３）のいずれか一項に記載の印刷装置における印刷媒体搬送制御装置。
【００５８】
（５）印刷媒体の種類と印刷モードとのうち少なくとも一方に応じて印刷媒体の搬送速度を変更する変速領域を設定するか否かを判断する判断手段を備え、前記制御手段は、前記判断手段により前記変速領域の設定が必要であると判断されたときに限り、前記変速領域を設定して印刷媒体の搬送速度変更処理を実行することを特徴とする請求項１、２、前記技術的思想（１）〜（４）のいずれか一項に記載の印刷装置における印刷媒体搬送制御装置。
【００５９】
この構成によれば、印刷媒体の種類と印刷モードとのうち少なくとも一方に応じて印刷媒体の搬送速度を変更する変速領域を設定することが必要と判断されたときに限り、変速領域を設定し、印刷媒体の搬送速度変更処理が実行される。例えば高画質印刷する際は、高画質印刷時に用いられる種類の印刷媒体（例えば光沢紙）であることや、高画質印刷モード（例えば写真印刷モード）であると、変速領域が設定される。その結果、印刷媒体の所定位置が変速領域にあるときに印刷媒体が低速で搬送されることにより、印刷媒体の蹴飛ばし現象などが緩和又は防止され、高画質印刷が可能となる。また、変速領域で低速での搬送が必要ないときは変速領域が設定されず、印刷媒体は第２速度で高速搬送される。
【００６０】
（６）前記制御手段は、次の印刷媒体の搬送後に印刷がなされない所定量で搬送されるときは、印刷媒体の前記所定位置が前記変速領域の入口又は出口を跨ぐ搬送であるときでも、印刷媒体を第２速度で搬送することを特徴とする請求項１、２、前記技術的思想（１）〜（５）のいずれか一項に記載の印刷装置における印刷媒体搬送制御装置。この構成によれば、次に印刷がなされない搬送時は、印刷媒体が第２速度で搬送されるため、スループットを向上できる。
【００６１】
（７）前記変速領域の入口側の設定位置のすぐ上流側には印刷媒体の第２速度における最小搬送距離にほぼ匹敵する長さの拡張領域が設定され、印刷媒体の搬送開始時の所定位置が該拡張領域内に存在するときには、前記制御手段は、前記所定位置が前記入口側の設定位置に一致する位置で停止させることをせず該入口側の設定位置を跨ぐようにはじめから前記第１速度で印刷媒体を搬送することを特徴とする請求項１、技術的思想（１）〜（６）のいずれか一項に記載の印刷装置における印刷媒体搬送制御装置。
【００６２】
（８）前記変速領域の出口側の設定位置のすぐ下流側には印刷媒体の第２速度における最小搬送距離にほぼ匹敵する長さの拡張領域が設定され、印刷媒体の所定位置の搬送先である目標位置が該拡張領域内に存在するときには、前記制御手段は、前記所定位置が前記出口側の設定位置に一致する位置で停止させることをせず該出口側の設定位置を跨いで前記目標位置まで前記第１速度で印刷媒体を搬送することを特徴とする請求項１、技術的思想（１）〜（７）のいずれか一項に記載の印刷装置における印刷媒体搬送制御装置。この構成によれば、出口側の設定位置で一旦停止させたがため、所定位置を目標位置に停止させることができなくなる不都合が回避される。従って、印刷媒体の所定位置が目標位置に位置精度よく停止するので、高い印刷画質精度が保証される。
【００６３】
（９）前記変速領域は、前記記録ヘッドより上流側に位置する搬送ローラを挟む範囲に設定されており、前記所定位置は印刷媒体の後端であることを特徴とする請求項１、２、前記技術的思想（１）〜（８）のいずれか一項に記載の印刷装置における印刷媒体搬送制御装置。
【図面の簡単な説明】
【００６４】
【図１】シリアルプリンタの電気的構成図。
【図２】紙送り機構部分を示す模式平面図。
【図３】紙送り機構部分を示す模式側面図。
【図４】紙送り分割処理における設定領域を説明する説明図。
【図５】紙送り分割処理のフローチャート。
【図６】同じく紙送り分割処理のフローチャート。
【図７】同じく紙送り分割処理のフローチャート。
【図８】２分割紙送り処理を説明する説明図。
【図９】３分割紙送り処理を説明する説明図。
【図１０】（ａ），（ｂ）従来技術における紙送り制御を示す模式側面図。
【符号の説明】
【００６５】
１…印刷装置及びシリアル式印刷装置としてのプリンタ、６…制御手段及び判断手段としてのＡＳＩＣ、１２…印刷手段を構成する記録ヘッド、１３…搬送手段を構成する紙送りモータ、１４…印刷手段を構成するキャリッジモータ、１５…搬送手段を構成するとともに搬送ローラとしての紙送りローラ、２０…キャリッジ、Ｐ…印刷媒体としての用紙、ABS…変速領域としてのBS駆動領域（低速領域）、Ｐｂ…入口側の設定位置としての入口、Ｐｃ…出口側の設定位置としての出口、Ａ…入口側の拡張領域としてのBS駆動拡張領域、Ｂ…出口側の拡張領域としてのBS駆動拡張領域、P1…開始位置（現在位置）、P2…目標位置、ＶNR…第２速度としての通常速度、ＶBS…第１速度としての低速度。
【図１】
2007015865.tif 000003
【図２】
2007015865.tif 000004
【図３】
2007015865.tif 000005
【図４】
2007015865.tif 000006
【図５】
2007015865.tif 000007
【図６】
2007015865.tif 000008
【図７】
2007015865.tif 000009
【図８】
2007015865.tif 000010
【図９】
2007015865.tif 000011
【図１０】
2007015865.tif 000012